(57)【要約】【課題】本発明は、装着された記録媒体の記録形式に応じて自動的に最適な音質及び音量を調整して、各種の記録媒体を最適な状態で連続再生できるオーディオ再生装置を提供することを目的とする。【解決手段】本発明のオーディオ再生装置は、制御手段が再生される記録媒体及び記録形式の判別結果に基づき制御データーベースから最適な制御データを読み出し、最適な音質特性及び音量特性を有する再生出力信号を出力するようオーディオ信号調整手段を駆動制御するよう構成されている。【選択図】        図１
2005018860.tif 000002
【特許請求の範囲】
【請求項１】
複数の記録形式の各種記録媒体を再生可能な再生手段と、
前記再生手段により再生すべき記録媒体の種類及び記録形式を判別する判別手段と、
前記再生手段によって再生された信号の音質特性及び音量特性を調整するオーディオ信号調整手段と、
複数の記録形式の各種記録媒体に関する音質特性と音量特性に関する制御データが予め格納されており、記録媒体を再生するときに前記判別手段により判別された記録媒体の種類と記録形式に応じた音質特性と音量特性とを選択して、前記オーディオ信号調整手段を駆動制御する制御手段と、
を具備することを特徴とするオーディオ再生装置。
【請求項２】
オーディオ信号調整手段が、音量特性を調整する音量調整回路と、音質特性を調整する再生周波数調整回路と、再生信号の低域周波数を増幅する低域増幅回路と、前記低域増幅回路のオンオフ制御を行うスイッチとを備えた請求項１に記載のオーディオ再生装置。
【請求項３】
制御手段が、複数の記録形式の記録媒体に関する音質特性と音量特性に関する制御データを格納する制御データベースと、記録媒体を再生するときに当該記録媒体の種類と記録形式に応じた前記制御データを選択して、前記オーディオ信号調整手段を駆動制御するよう構成されたことを特徴とする請求項１又は２に記載のオーディオ再生装置。
【請求項４】
制御手段が、記録媒体を再生するとき、判別手段によって判別された当該記録媒体の記録形式に応じた音質特性を有する信号を出力するよう再生周波数調整回路を駆動制御するよう構成されたことを特徴とする請求項２記載のオーディオ再生装置。
【請求項５】
制御手段が、記録媒体を再生するとき、判別手段によって判別された当該記録媒体の記録形式に応じた音量特性を有する信号を出力するよう音量調整回路を駆動制御するよう構成されたことを特徴とする請求項２記載のオーディオ再生装置。
【請求項６】
制御手段が、記録媒体を再生するとき、判別手段によって判別された当該記録媒体の記録形式に応じた音質特性を有する信号を出力するよう再生周波数調整回路を駆動制御し、且つオーディオ信号調整手段のスイッチをオン状態として低域増幅回路を駆動するよう構成されたことを特徴とする請求項２記載のオーディオ再生装置。
【請求項７】
判別手段が、再生手段により再生すべき記録媒体の種類を判別し再生手段に対するサーボ制御機能を有する記録媒体情報判別部と、前記記録媒体の記録形式を判別しデコーダ機能を有する記録形式判別部とを備えた請求項１に記載のオーディオ再生装置。
【請求項８】
判別手段が、再生すべき記録媒体が音楽用記録媒体か映画用記録媒体か映画用記録媒体かを判別し、前記記録媒体が映画用記録媒体である場合にオーディオ信号調整手段が再生信号を所定周波数において予め決められた利得を加えるよう構成された請求項１に記載のオーディオ再生装置。
【発明の詳細な説明】
【０００１】
【発明の属する技術分野】
本発明は、記録形式の異なる複数の記録媒体に応じて音質と音量を制御して再生するオーディオ再生装置に関するものである。
【０００２】
【従来の技術】
ＣＤ、ＤＶＤ−Ａｕｄｉｏ等の音楽用記録媒体及びＶｉｄｅｏ−ＣＤ（以下、ＶＣＤと略称する）、ＤＶＤ−Ｖｉｄｅｏ等の映画用記録媒体の両方を再生できるステレオオーディオ機器が製品化されている。このようなステレオオーディオ機器おいては、記録媒体の記録形式に応じて音質や音量が異なるものがあるため、装着された記録媒体に応じて音質や音量を調整しなければならない場合があった。従来のステレオオーディオ機器において、例えば従来のオーディオ再生装置においては、入力された音質を再生するために、入力された音声信号を処理する音声信号処理部にイコライザー等を有する周波数特性調整回路が設けられたものがあった。この周波数特性調整回路は、使用者が装着した記録媒体に応じてその周波数特性を調整して、音質の最適化を図るものであった。
【０００３】
【特許文献１】
特開平１０−２３３０５８号公報
【０００４】
【発明が解決しようとする課題】
上記のようなＣＤ等の音楽用記録媒体とＤＶＤ−Ｖｉｄｅｏ等の映画用記録媒体の両方を再生できるオーディオ再生装置においては、使用者がＣＤ等の音楽用記録媒体を再生しつつイコライザーのレベル設定を行い音質の最適化を図り、最適再生状態を実現していた。しかし、このようにＣＤ等の音楽用記録媒体に対する音質の最適化再生状態を設定していても、次にＤＶＤ−Ｖｉｄｅｏ等の映画用記録媒体を連続して再生する場合にはさらに音質の最適化調整操作が必要であった。もし、ＣＤ等の音楽用記録媒体に対する最適化再生状態でＤＶＤ−Ｖｉｄｅｏ等の映画用記録媒体を連続して再生した場合には、例えば映画の戦闘シーンや効果音に必要な迫力感がなく、台詞が聞き取りにくくなる傾向があった。したがって、従来のオーディオ再生装置においては装着される記録媒体や記録形式が変わるたびにその音質を使用者が調整する必要があった。
【０００５】
また、ＤＶＤ−Ｖｉｄｅｏ等の映画用記録媒体、特に、ドルビーＡＣ−３オーディオ記録形式やｄｔｓ（Ｄｉｇｉｔａｌ  Ｔｈｅａｔｅｒ  Ｓｙｓｔｅｍ）オーディオ記録形式等で録音された記録媒体は、５．１チャンネルのマルチチャンネルオーディオ形式の記録媒体であり、音声信号のダイナミックレンジを確保するために記録媒体への録音レベルがＣＤ等の音楽用記録媒体に比べてかなり低い状態である。したがって、このような記録媒体を再生する場合には、音質調整の他に音量を調整する必要があった。このように、ＤＶＤ−Ｖｉｄｅｏ等の映画用記録媒体を従来のオーディオ再生装置により再生する場合には、音質と音量のそれぞれを調整して音質と音量の最適化を図っていた。
【０００６】
本発明は、装着された記録媒体の記録形式に応じて自動的に最適な音質及び音量に調整して、各種の記録媒体を最適な状態で連続再生できるオーディオ再生装置を提供することを目的とする。本発明は、簡単な回路構成により、例えばＣＤ等の音楽用記録媒体又はＤＶＤ−Ｖｉｄｅｏ等の映画用記録媒体に応じて最適な音質及び音量を自動的に調整して、音質及び音量の最適化を実現することができるオーディオ再生装置を提供することを目的としている。
【０００７】
【課題を解決するための手段】
本発明において、上記の目的を達成するために、請求項１のオーディオ再生装置は、複数の記録形式の各種の記録媒体を再生可能な再生手段と、
前記再生手段により再生すべき記録媒体の種類及び記録形式を判別する判別手段と、
前記再生手段によって再生された信号の音質特性及び音量特性を調整するオーディオ信号調整手段と、
複数の記録形式の各種の記録媒体に関する音質特性と音量特性に関する制御データが予め格納されており、記録媒体を再生するときに前記判別手段により判別された記録媒体の種類と記録形式に応じた音質特性と音量特性とを選択して、前記オーディオ信号調整手段を駆動制御する制御手段と、を具備する。このように構成された本発明のオーディオ再生装置は、簡単な構成で、装着された記録媒体の記録形式に応じて自動的に最適な音質及び音量を調整して、各種の記録媒体を最適な状態で連続再生できる。
【０００８】
本発明の請求項２のオーディオ再生装置は、オーディオ信号調整手段が、音量特性を調整する音量調整回路と、音質特性を調整する再生周波数調整回路と、再生信号の低域周波数を増幅する低域増幅回路と、前記低域増幅回路のオンオフ制御を行うスイッチとを備えた構成でもよい。
【０００９】
本発明の請求項３のオーディオ再生装置は、制御手段が、複数の記録形式の記録媒体に関する音質特性と音量特性に関する制御データを格納する制御データベースと、記録媒体を再生するときに当該記録媒体の種類と記録形式に応じた前記制御データを選択して、前記オーディオ信号調整手段を駆動制御するよう構成してもよい。
【００１０】
本発明の請求項４のオーディオ再生装置は、制御手段が、記録媒体を再生するとき、判別手段によって判別された当該記録媒体の記録形式に応じた音質特性を有する再生信号を出力するよう再生周波数調整回路を駆動制御してもよい。
【００１１】
本発明の請求項５のオーディオ再生装置は、制御手段が、記録媒体を再生するとき、判別手段によって判別された当該記録媒体の記録形式に応じた音量特性を有する再生信号を出力するよう音量調整回路の駆動制御してもよい。
【００１２】
本発明の請求項６のオーディオ再生装置は、制御手段が、記録媒体を再生するとき、判別手段によって判別された当該記録媒体の記録形式に応じた音質特性を有する再生信号を出力するよう再生周波数調整回路を駆動制御し、且つオーディオ信号調整手段のスイッチをオン状態として低域増幅回路を駆動するよう構成してもよい。
【００１３】
本発明の請求項７のオーディオ再生装置は、判別手段が、再生手段により再生すべき記録媒体の種類を判別し再生手段に対するサーボ制御機能を有する記録媒体情報判別部と、前記記録媒体の記録形式を判別しデコーダ機能を有する記録形式判別部とを備えた構成でもよい。
【００１４】
上記のように構成された各発明のオーディオ再生装置においては、制御手段が再生される記録媒体及び記録形式の判別結果に基づき制御データベースから最適な制御データを読み出し、最適な音質特性及び音量特性に切り替えるように構成したものであり、例えばＣＤ等の音楽用記録媒体とＤＶＤ−Ｖｉｄｅｏ等の映画用記録媒体を連続して再生した場合でも、ＣＤからＤＶＤに切り替わる度に音質及び音量を再調整することなく、自動的にＣＤ等の音楽用記録媒体に最適な音質及び音量特性とＤＶＤ−Ｖｉｄｅｏ等の映画用記録媒体に最適な音質及び音量特性が得られる。
【００１５】
【発明の実施の形態】
以下、本発明に係るオーディオ再生装置の好適な実施の形態について添付の図面を参照しつつ説明する。
【００１６】
《実施の形態１》
図１は本発明に係る実施の形態１のオーディオ再生装置の構成を示すブロック図である。
本発明に係る実施の形態１のオーディオ再生装置は、記録媒体として少なくとも音楽用記録媒体のＣＤ−ＤＡとＤＶＤ−Ａｕｄｉｏ及び、ビデオデータと共にマルチチャンネルオーディオデータが記録されたＤＶＤ−ＶｉｄｅｏとＶＣＤを連続してステレオで再生できるオーディオ再生装置である。実施の形態１のオーディオ再生装置は、ディスク状の記録媒体であるＣＤ−ＤＡ，ＤＶＤ−Ｖｉｄｅｏ，ＤＶＤ−Ａｕｄｉｏ，ＶＣＤを再生可能な再生手段１と、装着された記録媒体がＣＤ−ＤＡ，ＤＶＤ−Ｖｉｄｅｏ，ＤＶＤ−Ａｕｄｉｏ，ＶＣＤのいずれの記録媒体であるかを判別する記録媒体情報判別部２と、装着された記録媒体がどのような記録形式であるかを判別する記録形式判別部３と、音量及び音質を調整するオーディオ信号調整手段４と、記録媒体情報判別部２と記録形式判別部３からの情報に基づき音量及び音質を制御する制御手段５と、再生手段１や制御手段５等に対する駆動操作を行う操作部６、及び当該装置の動作状況等を表示する表示部７とを具備する。
【００１７】
実施の形態１においては、記録媒体情報判別部２と記録形式判別部３とにより判別手段８が構成されている。また、再生手段１には、ＣＤ−ＤＡ再生部１１、ＤＶＤ−Ｖｉｄｅｏ（ＤＶＤ−Ｖ）再生部１２、ＤＶＤ−Ａｕｄｉｏ（ＤＶＤ−Ａ）再生部１３、及びＶＣＤ再生部１４が設けられている。なお、実施の形態１における再生手段１では、各種の記録媒体における複数の記録形式、例えばＭＰ−３，ＷＭＡ，ＡＣ−３，ｄｔｓ，ＬＰＣＭ，ＰＰＣＭ，ＭＰＥＧ等の記録形式を再生できるよう構成されている。再生手段１においては、検出された再生すべき記録媒体の種別及び記録形式に基づきスイッチ回路１０により切り替えられて当該記録媒体に対する適切な記録形式が選択され、当該記録媒体のオーディオ信号を再生する。
【００１８】
実施の形態１のオーディオ再生装置において、記録媒体情報判別部２が装着された記録媒体をＤＶＤ−Ａｕｄｉｏ若しくはＤＶＤ−Ｖｉｄｅｏであると検知し、記録形式判別部３が映画用記録形式であることを検知したとき、制御手段５はオーディオ信号調整手段４における音量調整回路４ａ、再生周波数調整回路４ｂ、及び低域増幅回路４ｃを駆動して音量特性及び音質特性を調整するよう構成されている。
【００１９】
実施の形態１のオーディオ再生装置においては、記録形式判別部３が映画用記録形式として、例えばドルビーＡＣ−３オーディオ記録形式若しくはｄｔｓオーディオ記録形式を認識し、この映画用記録形式とそれ以外の記録形式とを判別する構成である。オーディオ信号調整手段４は、音量調整回路４ａ、再生周波数調整回路４ｂ及び低域増幅回路４ｃにより構成されており、低域増幅回路４ｃは超低域周波数の聴感補正を行うために制御手段５によりＯＮ状態とＯＦＦ状態に切り替えられるよう構成されている。
【００２０】
実施の形態１のオーディオ再生装置においては、装着された記録媒体が映画用記録媒体であって、その記録形式がドルビーＡＣ−３オーディオ記録形式若しくはｄｔｓオーディオ記録形式のときに、例えば映画館で得られるような迫力感を出すため、音質特性を決定する再生信号周波数の低域を所定の周波数で所望の値だけ増幅させ、さらに音量特性を示す音量曲線を所望の値だけ大きい音量曲線とする。また、例えば映画における台詞の明瞭度を出すため、再生信号周波数の中域を１ｋＨｚを中心に所望の値だけ高く設定する。
【００２１】
具体的な設定値としては、装着された記録媒体がＤＶＤ−Ａｕｄｉｏ又はＤＶＤ−Ｖｉｄｅｏディスクにおける記録形式がドルビーＡＣ−３オーディオ記録形式若しくはｄｔｓオーディオ記録形式のときに、音質特性を決定する再生信号周波数の低域を６０Ｈｚを中心に４ｄＢ増幅させ、さらに音量特性を示す音量曲線を＋４ｄＢ高い音量曲線とする。また、映画の台詞を明瞭にするため、再生信号周波数の中域を１ｋＨｚを中心に２ｄＢ強調させた設定とする。
【００２２】
図２は実施の形態１のオーディオ再生装置の構成を示すブロック図である。
再生手段１は複数の記録形式の記録媒体、例えばＣＤ−ＤＡ、ＤＶＤ−Ｖｉｄｅｏ、ＤＶＤ−Ａｕｄｉｏ、ＶＣＤ等を再生することが可能に構成されている。このように構成された再生手段１は、装着された記録媒体のＴＯＣ（Ｔａｂｌｅ  ｏｆ  Ｃｏｎｔｅｎｔｓ）を読み取り、そのＴＯＣ読み取り情報を再生手段１に対するサーボ制御を兼用する記録媒体情報判別部２に出力する。記録媒体情報判別部２においては装着された記録媒体の種別、例えばＣＤ−ＤＡ、ＤＶＤ−Ｖｉｄｅｏ、ＤＶＤ−Ａｕｄｉｏ、ＶＣＤ等を決定して、フォーカス制御、トラッキングサーボ、スピンドルサーボの各制御を行う。また、記録媒体情報判別部２は、装着された記録媒体が、映画用記録媒体、例えばＤＶＤ−Ｖｉｄｅｏかそれ以外の音楽用記録媒体かを判別する。
【００２３】
デコーダを兼用する記録形式判別部３は、デコーダの機能を有するとともに装着された記録媒体がどのような記録形式で記載されているかを判別する。記録形式判別部３は装着された記録媒体が、例えば記録媒体情報判別部２によりＤＶＤ−Ｖｉｄｅｏであると判別したとき、当該ＤＶＤ−Ｖｉｄｅｏにおけるオーディオ信号の録音形式がドルビーＡＣ−３若しくはｄｔｓの録音形式か、それともそれ以外の録音形式かを判別する。
【００２４】
制御手段５は、オペレーションコントローラ５ａと制御データベース５ｂとを有している。オペレーションコントローラ５ａは、記録媒体情報判別部２と記録形式判別部３からの情報に基づき制御信号を形成してオーディオ信号調整手段４を制御する。制御データベース５ｂは、ドルビーＡＣ−３やｄｔｓの録音形式により録音されたときの音質と音量が最適になる制御データと、それ以外の録音形式により録音されたときの音質と音量が最適となる制御データとを格納している。したがって、オペレーションコントローラ５ａは、制御データベース５ｂに格納されている制御データを用いて最適な音質特性と音量特性を有する再生信号を出力するための制御信号を形成する。また、オペレーションコントローラ５ａは記録媒体情報判別部２と記録形式判別部３からの情報を表示部７に表示するよう構成されている。
【００２５】
オーディオ信号調整手段４は、再生手段１で再生されたオーディオ信号の音量を調整する音量調整回路４ａと、使用者が操作部６により音質調整を行った際に選択された音質に調整する再生周波数調整回路４ｂと、オーディオ信号の低域を増幅する低域増幅回路４ｃとを有している。さらに、オーディオ信号調整手段４には、装着された記録媒体がドルビーＡＣ−３又はｄｔｓの録音形式により録音されていたときに、その音質を補正する低域増幅回路４０を駆動するためのスイッチ４０が設けられている。
【００２６】
図３は本発明に係る実施の形態１のオーディオ再生装置における再生動作を示すフローチャートである。
図３に示すように、実施の形態１における再生動作においては、ステップ１０１で装着された記録媒体のＴＯＣが読み込まれる。次に、ステップ１０２において、記録媒体が映画用記録媒体、例えばＤＶＤ−Ｖｉｄｅｏであるか否かが判別される。記録媒体が映画用記録媒体であった場合には、その情報が表示部７に表示（ステップ１０３）され、ステップ１０４で記録媒体がドルビーＡＣ−３又はｄｔｓの記録形式で記録されたものか否かが判断される。記録媒体がドルビーＡＣ−３又はｄｔｓの記録形式で記録されたものであった場合には、その情報が表示部７に表示（ステップ１０５）されて再生周波数調整（ステップ１０６）、音量調整（ステップ１０７）、及びイコライザによる音質選択（ステップ１０８）の各調整動作が実施される。なお、ステップ１０６の再生周波数調整においては低域増幅回路４ｃが駆動して、例えば音質を決定する再生信号周波数の低域周波数である６０Ｈｚを中心に４ｄＢ増幅させる。
【００２７】
一方、ステップ１０２において記録媒体が映画用記録媒体でなかった場合には、その情報が表示部７に表示（ステップ１０９）され、再生周波数調整（ステップ１１０）、音量調整（ステップ１１１）、及びイコライザによる音質選択（ステップ１１２）の各調整動作が実施される。また、ステップ１０４において、記録媒体がドルビーＡＣ−３又はｄｔｓの記録形式以外の記録形式で記録されたものであった場合にも、その情報が表示部７に表示（ステップ１０９）されて再生周波数調整（ステップ１１０）、音量調整（ステップ１１１）、及びイコライザによる音質選択（ステップ１１２）の各調整動作が実施される。
上記のように再生すべき記録媒体に対して音質と音量に関する調整動作が実施され、当該記録媒体に対する再生動作により最適な音質特性と音量特性を有する再生信号が出力される。
【００２８】
図４は実施の形態１のオーディオ再生装置における再生出力信号の周波数特性の一例を示している。
図４における実線１８で示す周波数特性曲線は、実施の形態１のオーディオ再生装置において、ドルビーＡＣ−３とｄｔｓのオーディオ記録形式以外で録音された記録媒体を再生した場合に、使用者により音質調整を行わず、イコライザーをオフ（ＯＦＦ）状態にした時の再生出力信号である。図４の実線１８で示す周波数特性曲線は、低域周波数（約６０Ｈｚ）から高域周波数（１ｋＨｚ以上）にかけての周波数においてその電圧利得［ｄＢ］が平坦な周波数特性を示している。
【００２９】
実施の形態１のオーディオ再生装置において、ドルビーＡＣ−３又はｄｔｓのオーディオ記録形式で録音された記録媒体を再生する場合には、オペレーションコントローラ５ａが低域増幅回路４ｃを駆動させるスイッチ４０をオン（ＯＮ）状態とする。低域増幅回路４ｃが駆動することにより、６０Ｈｚの周波数を中心とした低域周波数が数ｄＢ盛り上げられる。例えば、６０Ｈｚの周波数において４ｄＢ盛り上がった周波数特性となる。また、再生周波数調整回路４ｂは、制御データベース５ｂからの音質特性に関する制御データに基づきオペレーションコントローラ５ａにより制御される。オペレーションコントローラ５ａでは装着された記録媒体における最適な周波数特性を示す音質特性に関する制御データを制御データベース５ｂから取り込み、再生周波数調整回路４ｂが最適な周波数特性を示す再生出力信号を形成する。例えば、再生周波数調整回路４ｂが１ｋＨｚの中域の周波数を所望の電圧利得だけ上昇させて、６０Ｈｚの周波数を中心とした中域周波数の電圧利得が制御する。図４において、破線１９で示す周波数特性曲線は、実線１８で示した周波数特性と音量調整が同一であるという条件で、超低域の６０Ｈｚの周波数で４ｄＢ、中域の１ｋＨｚの周波数で２ｄＢ盛り上がった周波数特性を示しており、このとき装着された記録媒体の最適な周波数特性を示している。
【００３０】
実施の形態１のオーディオ再生装置においては、装着された記録媒体の記録方式に応じて音量調整を行っている。
装着された記録媒体が、映画用記録媒体であり、ドルビーＡＣ−３又はｄｔｓのオーディオ記録形式で録音された記録媒体を再生する場合には、オペレーションコントローラ５ａが音量調整回路４ａのスイッチ４１の切換を行う。オペレーションコントローラ５ａでは装着された記録媒体における最適な音量曲線に関する制御データを制御データベース５ｂから取り込み、音量調整回路４ａが最適な音量曲線を示す再生出力信号を形成する。
【００３１】
図５は、実施の形態１のオーディオ再生装置における表示部７の音量表示位置と再生信号出力との関係の一例を示すグラフである。図５において、曲線２２はドルビーＡＣ−３とｄｔｓのオーディオ記録形式以外で録音された記録媒体を再生した場合の音量特性の一例である。また、曲線２１はドルビーＡＣ−３とｄｔｓのオーディオ記録形式で録音された記録媒体を再生した場合において、音量曲線２２で示した周波数調整が同一であるという条件での音量特性である。
【００３２】
図５に示すように、実施の形態１のオーディオ再生装置においては、ドルビーＡＣ−３又はｄｔｓのオーディオ記録形式で録音された記録媒体を再生した場合の音量曲線２１は、ドルビーＡＣ−３とｄｔｓのオーディオ記録形式以外で録音された記録媒体を再生した場合の音量曲線２２より表示部７の音量表示位置が同じで再生信号出力のレベルを数ｄＢ上昇させている。例えば、実施の形態１のオーディオ再生装置においては、再生信号出力のレベルを４ｄＢ上昇させた音量特性としている。
【００３３】
上記のように、実施の形態１のオーディオ再生装置においては、装着された記録媒体の記録方式に応じて音質調整と音量調整を行って、所望の再生信号出力を形成している。
例えば、実施の形態１のオーディオ再生装置における再生信号出力は、音質調整制御と音量調整制御とをあわせた総合再生信号出力は、図４における１点鎖線２０で示すようになる。
【００３４】
図４において、１点鎖線２０で示す周波数特性曲線は、破線１９で示した周波数特性と音量調整が同一であるという条件で、超低域の６０Ｈｚの周波数でさらに４ｄＢ、中域の１ｋＨｚの周波数でさらに４ｄＢ盛り上がっており、全体で４ｄＢ上昇した周波数特性を示している。したがって、実施の形態１のオーディオ再生装置によれば、ドルビーＡＣ−３又はｄｔｓのオーディオ記録形式で録音された記録媒体を再生した場合には、実線１８で示した調整を行わなかった場合に比べて６０Ｈｚの超低域周波数において８ｄＢ、映画における台詞を明瞭化に影響を与える１ｋＨｚの中域周波数において６ｄＢ、その他の周波数帯域においては４ｄＢ以上上昇した周波数特性で再生信号が出力される。このときの再生信号出力が装着された記録媒体に対する最適な周波数特性である音質特性と音量特性を示す出力である。
【００３５】
実施の形態１のオーディオ再生装置は上記のように構成されているため、使用者がＣＤ等の音楽用記録媒体とＤＶＤ−Ｖｉｄｅｏ等の映画用記録媒体を連続して再生した場合でも、制御手段５のオペレーションコントローラ５ａが装着された記録媒体に対する最適な音質及び音量に関する制御データに基づきオーディオ信号調整手段４を駆動制御することにより、オーディオ再生装置は最適な音質特性と最適な音量特性とを有する再生出力信号を出力することができる。したがって、実施の形態１のオーディオ再生装置においては、オペレーションコントローラ５ａが制御データベース５ｂに格納されている制御データに基づき順次最適な再生出力信号を形成するよう構成されている。このため、実施の形態１のオーディオ再生装置によれば、ＣＤ等の音楽用記録媒体とＤＶＤ−Ｖｉｄｅｏ等の映画用記録媒体との間で切り替わる度に、使用者が音質及び音量を再調整することなく、装着されている記録媒体を自動的に最適な音質及び音量で再生することができる。
【００３６】
また、実施の形態１のオーディオ再生装置においては、使用者の好みに応じて聴感補正した場合には、その補正された周波数特性がそのまま他の記録媒体の再生時にも維持されるよう構成されている。例えば、使用者がＣＤの演奏時に聴感補正を操作部６により行うため、イコライザー等の再生周波数調整回路４ｂにより、例えば、高域周波数１０ｋＨｚを中心に＋３ｄＢの補正を行った場合、その聴感補正の＋３ｄＢは、ドルビーＡＣ−３又はｄｔｓで記録されたＤＶＤ−Ｖｉｄｅｏを再生する場合でも維持される。したがって、実施の形態１のオーディオ再生装置においては、使用者に応じて聴感補正が行われた場合、例えば図４の１点鎖線２０で示す総合再生出力信号は高域周波数１０ｋＨｚで＋３ｄＢの補正が行われた周波数特性が出力されて、その使用者にとって好ましい聞き取りやすい迫力のある音を得ることが可能となる。
【００３７】
【発明の効果】
以上、実施の形態について詳細に説明したところから明らかなように、本発明は次の効果を有する。
本発明によれば、装着された記録媒体の記録形式に応じて自動的に最適な音質特性及び音量特性に調整して、各種の記録媒体を最適な状態で連続再生できるオーディオ再生装置を提供することが可能となる。
本発明のオーディオ再生装置は、簡単な回路構成により、ＣＤ等の音楽用記録媒体又はＤＶＤ−Ｖｉｄｅｏ等の映画用記録媒体に対する最適な音質特性及び音量特性となるよう自動的に調整して、再生すべき記録媒体における音質及び音量の最適化を実現することができる。
【００３８】
本発明のオーディオ再生装置においては、オーディオ信号調整手段に音量調整回路、周波数調整回路、低域増幅回路を設け、これらの回路を制御手段により駆動制御するよう構成されており、制御手段が再生される記録媒体及び記録形式の判別結果に基づき制御データベースから最適な制御データを読み出し、各回路の特性を切り替えるように構成したものである。このように構成された本発明のオーディオ再生装置は、ＣＤ等の音楽用記録媒体とＤＶＤ−Ｖｉｄｅｏ等の映画用記録媒体を連続して再生した場合でも、ＣＤからＤＶＤに切り替わる度に音質及び音量を再調整することなく、自動的にＣＤ等の音楽用記録媒体に最適な音質及び音量特性とＤＶＤ−Ｖｉｄｅｏ等の映画用記録媒体に最適な音質及び音量特性が得られる。
【００３９】
本発明によれば、ＣＤ等の音楽用記録媒体とＤＶＤ等の映画用記録媒体を連続再生する場合でも、音楽性を追求した音楽向けの記録媒体に対しては最適な音質及び音量で再生できるとともに、映画の迫力感及び台詞の明瞭性を追求した映画向けの記録媒体に対しては最適な音質及び音量で再生できるという優れた効果を奏する。
【図面の簡単な説明】
【図１】本発明に係る実施の形態１のオーディオ再生装置の構成を示すブロック図である。
【図２】実施の形態１のオーディオ再生装置の構成を示すブロック図である。
【図３】実施の形態１のオーディオ再生装置における再生動作を示すフローチャートである。
【図４】実施の形態１のオーディオ再生装置における再生出力信号の周波数特性の一例を示す波形図である。
【図５】実施の形態１のオーディオ再生装置における表示部の音量表示位置と再生信号出力との関係の一例を示すグラフである。
【符号の説明】
１    再生手段
２    記録媒体情報判別部
３    記録形式判別部
４    オーディオ信号調整手段
４ａ  音量調整回路
４ｂ  再生周波数調整回路
４ｃ  低域増幅回路
５    制御手段
５ａ  オペレーションコントローラ
５ｂ  制御データベース
６    操作部
７    表示部
８    判別手段
１１    ＣＤ−ＤＡ再生部
１２    ＤＶＤ−Ｖｉｄｅｏ再生部
１３    ＤＶＤ−Ａｕｄｉｏ再生部
１４    ＶＣＤ再生部
【図１】
2005018860.tif 000003
【図２】
2005018860.tif 000004
【図３】
2005018860.tif 000005
【図４】
2005018860.tif 000006
【図５】
2005018860.tif 000007